(57)【要約】【課題】ばね端子を備えたスピーカと基板との接続不良を防止することができ、スピーカの動作テストやスピーカの交換を容易に行うことが可能なホルダおよびスピーカならびにスピーカ装置を提供する。【解決手段】基板２０の配線パターンと導通接続するためのばね端子１３が裏面に設けられたスピーカ１と、基板２０の端部を挟持する挟持部３３，３４およびスピーカ１を収納する凹部とが形成されたホルダ３０とを備え、スピーカ１に形成された固定用突起１１ａ，１１ｂをホルダ３０に形成された切り欠き３５ａ，３５ｂ，３５ｃに挿入可能な位置でスピーカ１をホルダの凹部に収容し、スピーカ１を回転させると固定用突起１１ａ，１１ｂがホルダ３０の溝部３６ａ，３６ｂに入り込む。【選択図】図４
2007124294.tif 000002
【特許請求の範囲】
【請求項１】
スピーカを収容可能な凹部と、
前記凹部に収容されたスピーカの固定用突起が摺動可能で、かつ前記スピーカの前面方向への変位を拘束する溝部と、
前記スピーカに設けられたばね端子と導通する配線パターンを備えた基板に固定するための取付部と、
を備えたことを特徴とするホルダ。
【請求項２】
前記スピーカに設けられたばね端子が貫通する開口を備えた請求項１記載のホルダ。
【請求項３】
前記凹部の壁面に、前記スピーカの固定用突起が挿入可能であって前記溝部に連接した第１の切り欠きを備え、
前記固定用突起が前記第１の切り欠きに挿入可能な位置で前記スピーカを前記凹部に収容し、前記スピーカを回転させた時に前記固定用突起が前記溝部に入り込む
請求項１記載のホルダ。
【請求項４】
前記取付部として、
前記基板の端部を挟持する挟持部を備えた請求項１記載のホルダ。
【請求項５】
前記ホルダの凹部壁面は、前記スピーカの本体外周部に設けられた摘み用突起が移動可能な第２の切り欠きを備えた請求項１記載のホルダ。
【請求項６】
放音面の反対側に突出し、基板に形成された配線パターンと導通接続可能なばね端子を備え、
外周部に、ホルダの凹部に形成された溝部に挿入可能な固定用突起が形成された
ことを特徴とするスピーカ。
【請求項７】
固定用突起は、前記スピーカを前記ホルダの凹部に収容する時に前記ホルダの凹部壁面に形成された第１の切り欠きに挿入可能な請求項６記載のスピーカ。
【請求項８】
前記スピーカ本体はさらに、外周部に摘み用突起を備えた請求項６記載のスピーカ。
【請求項９】
配線パターンが形成された基板と、
請求項１から４のいずれかの項に記載のホルダと、
請求項６から８のいずれかの項に記載のスピーカと
を備え、
前記スピーカが前記ホルダに収容され、該ホルダが前記基板に固定されたスピーカ装置。
【請求項１０】
放音面の反対側に突出し、基板に形成された配線パターンと導通接続するばね端子と、
外周部に形成され、ホルダの凹部に形成された溝部の上壁面と摺動可能な固定用突起と、を備えたスピーカと、
前記スピーカを収容可能な凹部と、
前記凹部の壁面に形成され、前記スピーカの固定用突起が挿入可能な第１の切り欠きと、前記壁面の前記第１の切り欠きと連接した位置に形成され、前記スピーカの前記固定用突起が入り込んで該固定用突起の上方への変位を拘束する溝部と、
前記基板に固定するための取付部と、を備えたホルダを有し、
前記固定用突起を前記ホルダに形成された切り欠きに挿入可能な位置で前記スピーカを前記ホルダの凹部に収容し、前記スピーカを回転させた時に前記固定用突起が前記溝部に入り込む
ことを特徴とするスピーカ装置。
【発明の詳細な説明】
【技術分野】
【０００１】
本発明は、携帯電話やＰＤＡ等の小型通信機器に搭載されるホルダおよびスピーカならびにスピーカ装置に関する。
【背景技術】
【０００２】
従来、携帯電話やＰＤＡ等の小型通信機器では、搭載されるスピーカの端子は、筐体内に収納された基板の配線パターンにリード線を介して半田付け等で固定されている。これにより、スピーカと基板とを電気的に接続し、スピーカに設けられた振動板を振動させて空気に伝え、音声を発生している。
【０００３】
一方、近年では、スピーカの本体裏面側にばね端子を設け、このばね端子と基板との機械的圧接だけで電気的な接続を確保する方法も用いられている（例えば、特許文献１，２、参照。）。この方法によれば、従来用いられていた半田付け処理が不要になるため、部品耐熱性の緩和、半田処理工程やその前処理工程の削減等の利点が生まれる。
【０００４】
特許文献１および２に記載のスピーカは、次のようにして小型通信機器内に収納され、スピーカ装置として機能している。まず、２つに分割可能に形成された筐体のうちの一方に凹部を形成し、この凹部に、スピーカをひっくり返した状態で、つまり、裏面側に形成されたばね端子が作業者側に突出した状態でスピーカを収納する。そして、この突出したばね端子に、基板に形成された配線パターンの接続ランドが接触するように位置決めしながら基板を載置し、最後にもう片方の筐体をかぶせてネジなどで固定する。これにより、ばね端子と基板とは機械的に圧接された状態となり、スピーカと基板とが電気的に接続される。
【特許文献１】特開２００１−２０９３８７号公報
【特許文献２】特開２００２−３２９５４２号公報
【発明の開示】
【発明が解決しようとする課題】
【０００５】
しかしながら、特許文献１および２に記載のようなスピーカ装置は、まず、一方の筐体の凹部にスピーカを収納し、次に、スピーカのばね端子に合わせて基板を載置し、他方の筐体をかぶせて固定することにより、スピーカと基板とを導通接続する構成であるため、筐体に対するスピーカの収納位置の精度や、スピーカ上に載置した基板の配置の精度がばらつきやすく、スピーカと基板との電気的な接続不良が起こりやすい。
【０００６】
また、特許文献１および２に記載のようなスピーカ装置では、スピーカを一方の筐体に収納し、その上に基板を載置し、最後に他方の筐体をかぶせて固定した後でなければ、スピーカと基板とが電気的に接続されないので、スピーカの動作テストは、筐体を組み立てた後でないと行うことができない。動作テストによってスピーカに動作不良が発見されれば、スピーカの交換のために、筐体を再び分解しなければならず、作業に手間がかかる。
【０００７】
そこで、本発明は、スピーカと基板との接続不良を防止することができ、また、スピーカの動作テストや、スピーカの交換を容易に行うことが可能なホルダおよびスピーカならびにスピーカ装置を提供することを目的とする。
【課題を解決するための手段】
【０００８】
本発明のホルダは、基板に形成された配線パターンと導通接続するためのばね端子が裏面に設けられたスピーカを収納して、前記ばね端子と前記基板の配線パターンとを導通接
続する凹部と、前記凹部壁面に形成され、前記スピーカの本体外周部に設けられた固定用突起が挿入可能な切り欠きと、該切り欠きに挿入された前記固定用突起が摺動可能で、かつ、前記固定用突起の上方への変位を拘束する溝部と、前記基板に固定するための取付部とを備えたことを特徴とする。
【発明の効果】
【０００９】
本発明のホルダによれば、スピーカと基板とを精度よく配置させて確実に接触させることができる。従って、スピーカの接続状態を安定させることができ、スピーカと基板との接触不良によってスピーカの音響特性が変化することを防止できる。また、スピーカを保持固定したホルダを基板に固定するだけで、スピーカと基板とを電気的に導通接続させることができるので、この状態でスピーカの動作テストを行うことができ、スピーカに動作不良が発見されても、スピーカをホルダから容易に取り外すことができるので、すぐに交換することができる。
【発明を実施するための最良の形態】
【００１０】
本願の第１の発明であるホルダは、基板に形成された配線パターンと導通接続するためのばね端子が裏面に設けられたスピーカを収納して、ばね端子と基板の配線パターンとを導通接続する凹部と、凹部壁面に形成され、スピーカの本体外周部に設けられた固定用突起が挿入可能な切り欠きと、該切り欠きに挿入された固定用突起が摺動可能で、かつ、スピーカの前面方向への変位を拘束する溝部と、基板に固定するための取付部とを備えたことを特徴とする。
【００１１】
ホルダの凹部に、スピーカの固定用突起を切り欠きの位置に合わせて挿入し、スピーカを所定の角度だけ回転させると、固定用突起は凹部の壁面に形成された溝部を摺動する。この溝部は、固定用突起の上方への変位を拘束するように形成されているので、これにより、スピーカはホルダの凹部に精度よく保持固定される。この状態でホルダを取付部によって基板に固定すると、ホルダの凹部に収納されたスピーカのばね端子が、基板との間で弾性変形した状態で、基板に形成された配線パターンと接触する。これにより、スピーカと基板とは電気的に接続した状態となる。このように、本発明によれば、スピーカは、あらかじめホルダに精度よく保持固定され、この状態で基板に固定されることから、スピーカと基板との位置決めが容易となり、スピーカのばね端子と基板の配線パターンとを確実に接触させることができる。従って、スピーカと基板との電気的な接続を安定させ、接触不良によって音響特性が変化することを防止できる。また、スピーカを凹部に保持固定したホルダを基板に固定するだけで、スピーカと基板とを電気的に接続させることができるので、この状態でスピーカの動作テストを行うことができ、動作不良のスピーカが発見されても、ホルダを基板から外し、取り付けの場合とは逆の操作を行うことにより取り外すことができるので、容易に交換することができる。
【００１２】
本願の第２の発明であるホルダは、本願の第１の発明において、取付部として、基板の端部を挟持する挟持部を備えたことを特徴とする。
【００１３】
挟持部は、配線パターンが形成されていない部分である基板の端部を挟持するように形成されていることから、配線パターンが混み合っている基板の中央部分にホルダ固定用のネジ穴や切り欠きなどを形成する必要がない。従って、本発明によれば、基板の配線パターンの設計の自由度を向上させることができる。
【００１４】
本願の第３の発明であるホルダは、本願の第１または第２の発明において、ホルダの凹部壁面は、前記スピーカの本体外周部に設けられた摘み用突起が移動可能な切り欠きを備えたことを特徴とする。
【００１５】
本発明によれば、スピーカをホルダの凹部に収納した後、スピーカに設けられた摘み用突起を摘むことにより、スピーカを容易に回転させることができ、スピーカの取り付けの作業性を向上させることができる。また、小型通信機器に搭載されるようなスピーカは、小型化するために、スピーカ上面とスピーカ内に設けられた振動板との距離をできる限り短くしていることから、安易にスピーカの上面部分を触ったり押したりするとスピーカ内の振動板に触れてしまうことになり、その圧力で振動板を故障させてしまう恐れがある。しかし、本発明によれば、摘み用突起を摘むことにより、作業者の指先がスピーカの上面部分を触ったり押したりすることなくスピーカを回転させることができるので、取り付け作業中のスピーカの故障を防ぐことができる。
【００１６】
本願の第４の発明であるスピーカは、ホルダの凹部に収納されるスピーカ本体の裏面に設けられ、基板に形成された配線パターンと導通接続するばね端子と、スピーカ本体の外周部に形成され、ホルダの凹部壁面に形成された切り欠きから挿入可能であり、かつ、ホルダの凹部に形成された溝部を摺動可能な固定用突起とを備えたことを特徴とする。
【００１７】
スピーカの固定用突起を、ホルダの凹部壁面に形成された切り欠きから挿入し、そして、溝部内を摺動させることによって、スピーカを、ホルダの凹部から飛び出したり移動したりしないように精度良く固定することができる。このように精度良くスピーカが収納されたホルダを基板の所定の位置に固定するだけで、基板に形成された配線パターンとスピーカのばね端子とを確実に接触させることができ、スピーカと基板とを導通接続させることができる。
【００１８】
本願の第５の発明であるスピーカ本体は、本願の第４の発明において、スピーカ本体はさらに、外周部に摘み用突起を備えたことを特徴とする。
【００１９】
摘み用突起を摘むことにより、スピーカを容易に回転させることができ、スピーカのホルダへの取り付けの作業性を向上させることができる。また、摘み用突起を摘むことにより、作業者の指先がスピーカの上面部分を触ったり押したりすることなくスピーカを回転させることができるので、取り付け作業中のスピーカの故障を防ぐことができる。
【００２０】
本願の第６の発明であるスピーカ装置は、配線パターンが形成された基板と、本願の第１から第３のいずれかの発明であるホルダと、本願の第４または第５の発明であるスピーカとを備え、スピーカがホルダに収納され、該ホルダが基板に固定されたことを特徴とする。
【００２１】
本発明のスピーカ装置によれば、スピーカと基板との電気的な接続を安定させることができ、接触不良によって音響特性が変化することを防止できる。また、筐体内に配置する前にスピーカの動作テストを行うことができ、動作不良のスピーカが発見されても、ホルダを基板から外し、取り付けの場合とは逆の操作を行うことにより取り外すことができるので、容易に交換することができる。
【００２２】
（実施の形態）
以下、本発明の実施の形態における小型通信機器のスピーカ装置について、図面を用いて説明する。図１は、本実施の形態におけるスピーカ装置を示す全体斜視図である。図２は、本実施の形態におけるスピーカの斜視図であり、（ａ）は上面側から見た斜視図、（ｂ）は下面側から見た斜視図である。図３は、本実施の形態におけるホルダの斜視図であり、（ａ）は図１のＡ側から見た斜視図、（ｂ）は図１のＢ側から見た斜視図、（ｃ）は斜め上方から見た斜視図である。
【００２３】
図１に示すように、本実施の形態における小型通信機器のスピーカ装置は、スピーカ１
が基板２０にホルダ３０を介して保持固定されている。
【００２４】
スピーカ１は、円柱状に形成されたスピーカ本体１０に、後述する固定用突起１１ａ，１１ｂ，１１ｃ、摘み用突起１２およびばね端子１３が設けられたものである。
【００２５】
図２に示すように、スピーカ本体１０の下面側縁部には、３つの固定用突起１１ａ，１１ｂ，１１ｃが設けられている。この３つの固定用突起のうち、２つの固定用突起１１ａ，１１ｂは、後述する２つのばね端子１３のすぐそばとなるように、ばね端子１３と同じ間隔で設けられている。また、残りの固定用突起１１ｃは、直径の両端となるように固定用突起１１ａと１８０度離れた位置に設けられている。本実施の形態の固定用突起は３カ所に設けられているが、固定用突起の数はこれに限られるものではない。また、本実施の形態の固定用突起１１ａ，１１ｂ，１１ｃは、それぞれ角柱状に形成されているが、固定用突起の形状としてはこれに限られるものではない。
【００２６】
また、スピーカ本体１０の外周部の上面側縁部には、摘み用突起１２が形成されている。本実施の形態の摘み用突起１２は、半円状の板材がスピーカ本体１０の外周部から突出した状態に設けられているが、摘み用突起の形状としてはこれに限られるものではなく、指先で摘んだり、工具で挟んだりできるものであればどのような形状であってもよい。
【００２７】
スピーカ本体１０の裏面側には、基板２０に形成された配線パターンの１つである接続ランドと導通接続するためのばね端子１３が２つ設けられている。ばね端子１３は円柱状にコイルされた金属材料により形成され、ばね端子１３の一部が基板２０の接続ランドに接触することにより、基板２０と電気的に接続される。
【００２８】
図３に示すように、ホルダ３０は、スピーカ１を収納するための凹部３２が中央に形成されたホルダ本体３１と、このホルダ本体３１の両側端部となる位置に、それぞれ基板２０の端部をホルダ本体３１との間に挟みこんで保持する挟持部３３，３４（図４、参照。）とを備えている。
【００２９】
凹部３２は、スピーカ１が収納可能な大きさに形成されている。凹部３２の壁面には、スピーカ本体１０に設けられた３カ所の固定用突起１１ａ，１１ｂ，１１ｃが凹部３２の上方からそれぞれ挿入可能な切り欠き３５ａ，３５ｂ，３５ｃ（第１の切り欠き）が３カ所形成されている。
【００３０】
また、切り欠き３５ａ，３５ｂ，３５ｃに連接する凹部３２の壁面には、それぞれ、切り欠き３５ａ，３５ｂ，３５ｃ挿入された固定用突起１１ａ，１１ｂ，１１ｃが摺動可能となるように、また、固定用突起１１ａ，１１ｂ，１１ｃの上方への変位を拘束するように切り欠かれた溝部３６ａ，３６ｂ，３６ｃが形成されている。この溝部３６ａ，３６ｂ，３６ｃは、凹部３２の壁面において、スピーカ１を凹部３２に収納した際、スピーカ１の上面が、ホルダ３０の上面から突出しない高さとなるように、凹部３２の下面側から所定の高さまで切り欠かれて形成されている（図４、参照）。
【００３１】
また、凹部３２の下面の中央部には、スピーカ１をホルダ３０に収納した際に、スピーカ本体１０を支持する円形の台座部３２ａが形成されている。また、この台座部３２ａの周囲は、スピーカ１をホルダ３０に収納した際に、スピーカ１のばね端子１３が基板２０と接触するように、所定の形状に切り欠かれている。なお、この切り欠きの形状や大きさは、ホルダ３０の強度と軽量化のバランスを考慮して設計する。また、凹部３２の壁面であって、スピーカ１を凹部３２に収納する際に摘み用突起１２と対向する部分には、壁面の上方端部を長方形状に切り欠いた切り欠き３７（第２の切り欠き）が形成されている。この切り欠き３７によって摘み用突起１２を避け、摘み用突起１２に邪魔されないように
スピーカ１を凹部３２に収納することができる。
【００３２】
また、ホルダ３０の凹部３２の下面にはスピーカ本体１０を受ける台座部３２ａが形成されている。この台座部３２ａは所定の形状に切り欠かれ、スピーカ１に設けられたばね端子１３が貫通する開口３９ａ，３９ｂが形成されている（図３（ｂ）参照）。
【００３３】
挟持部３３は、基板２０にホルダ３０を取り付けた際に、基板２０の表面に垂直となるようにホルダ本体３１から連設された側面保持部３３ａと、この側面保持部３３ａから基板２０の裏面側に沿うように連設された裏面保持部３３ｂとを備えている。裏面保持部３３ｂには、ネジ穴３３ｃが形成されている。また、挟持部３４は、ホルダ本体３１から下方に突出した状態に形成されており、内側に、基板２０の裏面側に引っ掛け可能な係止部３４ａ（図４参照）を有している。
【００３４】
また、凹部３２の壁面には、リード線タイプのスピーカも保持することができるように、リード線を仮固定するための係止片３８ａ，３８ｂが設けられている。ホルダ３０の凹部３２にスピーカを収納し、スピーカのリード線をそれぞれ係止片３８ａ，３８ｂに引っ掛けることによって、スピーカを仮固定することができる。このように本実施の形態におけるホルダ３０によれば、ばね端子１３が設けられていない従来のリード線タイプのスピーカであっても収納することができる。
【００３５】
次に、本実施の形態におけるスピーカ１の基板２０への取付方法について図面を用いて説明する。図４は、本実施の形態におけるスピーカ１をホルダ３０に取り付けた状態を示す図であり、（ａ）は上面図、（ｂ）は同図（ａ）のＡ−Ａ線断面図である。
【００３６】
まず、スピーカ１をホルダ３０の凹部３２に収納する。スピーカ本体１０に設けられた３カ所の固定用突起１１ａ，１１ｂ，１１ｃの位置を、凹部３２に形成された３カ所の切り欠き３５ａ，３５ｂ，３５ｃにそれぞれ合わせた状態で、スピーカ１を凹部３２に収納する。このとき、スピーカ１の摘み用突起１２は、切り欠き３７の溝部３６ｃに近い側の端部に位置している。スピーカ１を凹部３２に収納すると、スピーカ本体１０は台座部３２ａに支持される。また、前述のようにホルダ３０の凹部３２の下面には開口３９ａ，３９ｂが形成されているので、スピーカ本体１０は台座部３２ａに支持され、ばね端子１３は凹部３２から突出した状態となる。
【００３７】
次に、摘み用突起１２を摘み、固定用突起１１ａ，１１ｂ，１１ｃが凹部３２壁面に形成された溝部３６ａ，３６ｂ，３６ｃの中に入り込むように、スピーカ１を左周りに所定の角度だけ回転させる。溝部３６ａ，３６ｂ，３６ｃの高さは、凹部３２の下面の台座部３２ａの高さとスピーカ本体１０の下面から固定用突起１１ａ，１１ｂ，１１ｃの上面までの高さとを合計した高さに形成され、スピーカ１を前述のように回転させた時に固定用突起１１ａ，１１ｂ，１１ｃは溝部３６ａ，３６ｂ，３６ｃの上壁面と摺動する。
【００３８】
このようにスピーカ１を回転させた状態では、固定用突起１１ａ，１１ｂ，１１ｃは溝部３６ａ，３６ｂ，３６ｃの上壁面によって上方への変位を拘束され、これにより、スピーカ１はホルダ３０の凹部３２に保持固定される。
【００３９】
次に、ホルダ３０を基板２０に固定する。基板２０の、スピーカ１と導通接続するための接続ランドが形成された位置にホルダ３０を配置し、挟持部３３の側面保持部３３ａおよび裏面保持部３３ｂとホルダ本体３１との間に基板２０を挟み込む。次に、挟持部３４の係止部３４ａを基板２０の裏面に引っ掛けて、ホルダ３０を基板２０に仮固定する。すると、ホルダ３０の凹部３２の下面から突出したばね端子１３が、基板２０との間で弾性変形し、圧縮された状態で基板２０の接続ランドと接触する。
【００４０】
このように、ばね端子１３は圧縮された状態で接続ランドと接触するので、接続ランドに対して安定した接触力が得られ、接触不良による音響特性の悪化を防止することができる。また、ばね端子１３には、弾性変形したことによる反発力が生じるが、溝部３６ａ，３６ｂ，３６ｃが固定用突起１１ａ，１１ｂ，１１ｃの上方への変位を拘束するように形成されていることから、ばね端子１３による反発力は、固定用突起１１ａ，１１ｂ，１１ｃを溝部３６ａ，３６ｂ，３６ｃの上部壁面に押しつける力となり、スピーカ１を、さらに強固にホルダ３０の凹部３２に保持固定することが可能となる。
【００４１】
スピーカ１を凹部３２に収納したホルダ３０を基板２０に仮固定することにより、スピーカ１と基板２０とが電気的に接続するので、これにより、スピーカ１の動作テストを行うことができる。ここでもし、スピーカ１に動作不良があれば、ホルダ３０を基板２０から外し、取り付けの場合とは逆の操作を行うことによりスピーカ１を取り外すことができ、別のスピーカ１と交換することができる。
【００４２】
そして、動作テストによってスピーカ１が正常に動作することが確認されれば、基板２０に形成されたネジ穴、および挟持部３３の裏面保持部３３ｂに形成されたネジ穴３３ｃにネジを挿入して、ホルダ３０と基板２０とを締結固定する。最後に、この基板２０を筐体内に収納して小型通信機器として完成させる。
【００４３】
このように、本実施の形態におけるスピーカ装置によれば、スピーカ１は、あらかじめホルダ３０の凹部３２に保持固定され、この状態で基板２０に固定されることから、スピーカ１のばね端子１３と基板２０の接続ランドとの位置決めが容易となり、スピーカ１を基板２０上に精度よく配置して、スピーカ１のばね端子１３と基板２０の接続ランドとを確実に接触させることができる。ここで、スピーカ１のばね端子１３と基板２０の接続ランドとの接続不良を解消するためには、接続ランドをより大きく形成することも考えられるが、小型通信機器のさらなる小型化を考慮すれば、基板２０の大きさが制限されるので、接続ランドを大きく形成することは難しい。本実施の形態におけるスピーカ装置によれば、接続ランドが小さくても、ばね端子１３と接続ランドとを確実に接触させることができるので、基板２０をさらに小さく形成したり、また、接続ランドが形成されていた位置に別の配線パターンを形成したりすることができ、基板２０の設計自由度が向上する。
【００４４】
また、本実施の形態におけるスピーカ装置によれば、スピーカ本体１０の外周部に摘み用突起１２が形成されていることにより、摘み用突起１２を摘むことで、スピーカ１を容易に回転させることができる。
【００４５】
また、スピーカ本体１０の外周部に摘み用突起１２が設けられていない場合、スピーカ本体の外周部の上部を摘んでスピーカを回転させると、指先がスピーカ本体の上面に触れることとなる。しかし、小型通信機器に搭載されるスピーカは、小型化するために、スピーカ上面とスピーカ内に設けられた振動板との距離ができる限り短くなるように構成されていることから、安易にスピーカの上面部分を触ったり押したりするとスピーカ内の振動板に触れて、その圧力で振動板を故障させてしまう恐れがある。しかしながら、本実施の形態におけるスピーカ装置によれば、摘み用突起１２を利用することにより、スピーカ本体１０の上面に触れることなくスピーカ１をホルダ３０の凹部３２に保持固定することができるので、取り付け作業中のスピーカ１の故障の発生も防ぐことができる。
【００４６】
また、本実施の形態におけるスピーカ装置によれば、スピーカ１を容易に回転させるために摘み用突起１２が外周部に形成されているので、スピーカ本体１０を摘む部分を確保するためにホルダ３０の上面からスピーカ本体１０の上部を突出させる必要がない。従って、スピーカ本体１０の上面とホルダ３０の上面とを同じ高さになるように固定すること
ができるので、装置をさらに薄型化することも可能となる。
【００４７】
また、本実施の形態におけるスピーカ装置によれば、固定用突起１１ａ，１１ｂ，１１ｃによってスピーカ１をホルダ３０の凹部３２に保持固定することから、スピーカ本体１０の上面を拘束する必要がなく、スピーカ本体１０の上面には接触するものが何もない状態とすることができるので、スピーカ本体１０の内部に備えられた振動板の振動による空気の振動を阻害することなく外部に伝えることができ、スピーカの音響特性を損なうことがないスピーカ装置とすることができる。
【００４８】
なお、本実施の形態におけるスピーカ本体１０に設けられたばね端子１３は円柱状に形成されていたが、これに限らず、テーパコイル状のものを用いてもよい。テーパコイル状のものを用いることにより、基板２０との間で弾性変形したばね端子は、テーパ状になっている先部をコイル内に収納したように変形するので、スピーカ本体１０と基板２０との距離を短くすることができ、小型通信機器の薄型化をさらに図ることができる。
【００４９】
なお、他の実施の形態として、スピーカ本体１０の外周部に摘み用突起１２を設ける代わりに、図５〜図７に示すようなスピーカ４０，５０，６０を用いることもできる。
【００５０】
例えば、図５に示すスピーカ４０は、固定用突起１１ａ，１１ｂが形成された下段部４２と、下段部４２よりも外径が小さい上段部４１とにより構成されている。上段部４１が下段部４２の外径よりも小さく形成されたことにより、ホルダ３０の凹部３２にスピーカ４０を収納した際、下段部４２と上段部４１との間には段差があり、凹部３２と上段部４１との間に隙間が生じるので、この隙間に指先を差し込むことにより上段部４１が摘み易くなり、スピーカ４０を容易に回転させることができる。
【００５１】
また、図６に示すスピーカ５０は、固定用突起１１ａ，１１ｂが形成された下段部５２と、下段部５２よりも外径が大きく、また外周の形状が六角形となるように形成された上段部５１とにより構成されている。下段部５２よりも上段部５１の外径を大きく形成することから、スピーカ５０の上段部５１はホルダ３０の上面よりも突出した状態で配置されることとなる。上段部５１が突出していることから、スピーカ５０が摘みやすくなり、また、六角形状に形成されていることから回転させる際の力を加えやすくなるので、スピーカ５０を容易に回転させることができる。なお、外周の形状は六角形に限らず、回転する際に力を加えやすくするための角部が形成される多角形であればどのようなものであってもよい。
【００５２】
また、図７に示すスピーカ６０は、固定用突起（図示せず）が形成された下段部６２と、下段部６２よりも外径が大きく形成されるとともに、外周部に指先や回転用工具を差し込むための切り欠き６３が形成された上段部６１とにより構成されている。スピーカ５０と同様に、下段部６２よりも上段部６１の外径を大きく形成することから、スピーカ６０の上段部６１はホルダ３０の上面よりも突出した状態となり、指先や回転用工具を切り欠き６３に差し込むことにより、スピーカ６０を回転させる際の力も加え易くなるので、スピーカ６０を容易に回転させることができる。
【００５３】
このように、スピーカ本体１０の外周部に摘み用突起１２を設ける代わりとして、スピーカ４０，５０，６０のような構成とすることができる。しかし、これらを用いると、スピーカ４０，５０，６０の形状に合わせてホルダ３０の凹部３２の形状が大きくなってしまうので、比較的、筐体内の配置空間に余裕のある装置に適用することが望ましい。
【産業上の利用可能性】
【００５４】
本発明のホルダおよびスピーカは、携帯電話やＰＤＡ等の小型通信機器に搭載されるス
ピーカ装置のホルダおよびスピーカとして有用である。特に、スピーカと基板との接続不良を防止することができ、また、スピーカの動作テストや、スピーカの交換を容易に行うことが可能なホルダおよびスピーカとして好適に用いることができる。
【図面の簡単な説明】
【００５５】
【図１】本実施の形態におけるスピーカ装置を示す全体斜視図
【図２】本実施の形態におけるスピーカの斜視図であり、（ａ）上面側から見た斜視図、（ｂ）下面側から見た斜視図
【図３】本実施の形態におけるホルダの斜視図であり、（ａ）図１のＡ側から見た斜視図、（ｂ）図１のＢ側から見た斜視図、（ｃ）斜め上方から見た斜視図
【図４】本実施の形態におけるスピーカをホルダに取り付けた状態を示す図であり、（ａ）上面図、（ｂ）同図（ａ）のＡ−Ａ線断面図
【図５】スピーカの他の実施の形態を示す斜視図
【図６】スピーカの他の実施の形態を示す斜視図
【図７】スピーカの他の実施の形態を示す斜視図
【符号の説明】
【００５６】
１，４０，５０，６０    スピーカ
１０    スピーカ本体
１１ａ，１１ｂ，１１ｃ    固定用突起
１２    摘み用突起
１３    ばね端子
２０    基板
３０    ホルダ
３１    ホルダ本体
３２    凹部
３２ａ    台座部
３３，３４    挟持部
３３ａ    側面保持部
３３ｂ    裏面保持部
３３ｃ    ネジ穴
３４ａ    係止部
３５ａ，３５ｂ，３５ｃ    切り欠き（第１の切り欠き）
３６ａ，３６ｂ，３６ｃ    溝部
３７    切り欠き（第２の切り欠き）
３８ａ，３８ｂ    係止片
３９ａ，３９ｂ    開口
４１，５１，６１    上段部
４２，５２，６２    下段部
【図１】
2007124294.tif 000003
【図２】
2007124294.tif 000004
【図３】
2007124294.tif 000005
【図４】
2007124294.tif 000006
【図５】
2007124294.tif 000007
【図６】
2007124294.tif 000008
【図７】
2007124294.tif 000009